(57)【特許請求の範囲】
【請求項１】
所定方向に回転する片面多層の光ディスクにバーコードを記録するバーコード記録装置であって、
再生面と逆側の裏面に再生面の裏側からレーザ光を対物レンズを介して照射し、ディスク記録層上の反射層を溶融除去した半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを裏面に最も近い記録層上に焦点合わせを行うフォーカス制御回路とを備えることを特徴とするバーコード記録装置。
【請求項２】
前記レーザドライバ回路が、ディスク回転に同期したバーコードデータを逆順で受信し、前記受信した逆順のバーコードデータに応じて前記高出力半導体レーザをパルス状に発光させ、前記レーザ出力のパルス立ち上がり部分を所定のオーバーシュート率にオーバーシュートさせることを特徴とする請求項１記載のバーコード記録装置。
【発明の詳細な説明】
【技術分野】
【０００１】
本発明は、著作権保護やコピー防止を目的としたバーコード状のマークをレーザ光の照射
によって光ディスク面上に形成させるバーコード記録装置に関する。
【背景技術】
【０００２】
【特許文献１】特許第３１４４４２２号公報
【特許文献２】特許第３１４４４２３号公報
【０００３】
一般に光ディスクを記録媒体とした音楽ＣＤや映画ＤＶＤが多数販売されているが、前記光ディスクは他の媒体にデータの複写を行っても記録内容が複写によって劣化しない特性をもつため、これら光ディスクの違法コピーや海賊版ディスクが増加し、コンテンツ作成者の著作権を侵害する可能性があった。
【０００４】
前記違法コピーは、パーソナルコンピュータの高性能化や容易に入手できる無料のコピ
ーソフトが出回っているため、一般のパーソナルコンピュータ使用者においても、特別な
技術や知識なしに、一般的な光ディスクドライブを用いて光ディスクに記録された情報を
、追記型光ディスク／書換型光ディスク等の記録媒体にビット転写し、クローンディスク
を簡単に作成できるものであった。また、海賊版ディスクに関しても、ＲＯＭ型ディスク
製造装置が比較的容易かつ低価格で入手でき、非合法地域での生産が可能となっている。
【０００５】
前記不正コピーを阻止するための従来技術の一つとして、光ディスク記録面上又は反射
膜面上にコンテンツデータ（音楽／映画等）を含んでいるピット（マーク）とは全く異質
な物理マークを形成させ、オリジナルディスクとしての識別を図りながらコンテンツの再
生および記録を制御する技術が提案されている。この技術をフルに活用した例としてＤＶ
Ｄディスクが挙げられ、この物理マークはディスクの内周側の周方向に配列させたバーコ
ード状の補助データでありＢＣＡ（Ｂｕｒｓｔ Ｃｕｔｔｉｎｇ Ａｒｅａ）コードと呼ば
れている。
【０００６】
前述物理マークは、光ディスク製造過程の記録膜等の積層膜を形成した後の工程におい
て、特殊な装置で任意のマーク（データ）を記録するため、複製するには非常に困難であ
る。前記バーコードによるマーク部は、他のディスク面の反射率が高いことから所定値を
満たすように反射率を低く処理して形成される。
【０００７】
尚、前述の光ディスクにマークを記録する方法および装置に関する技術が記載された文
献としては、例えば特許第３１４４４２２号公報や特許第３１４４４２３号公報が挙げら
れ、これら文献には光ディスク製造工程のディスク貼合わせ工程以降にＹＡＧレーザを用
いて光ディスクの反射層を溶融除去させる技術が記載されている。
【発明の開示】
【発明が解決しようとする課題】
【０００８】
前述の従来技術においては、レーザを用いて光ディスクの反射層を溶融除去させて前記
マークを形成する旨が記載されているものの、例えば光ディスクの反射膜を溶融除去する
ためのレーザのスポット形状／レーザ出力の時間的推移等のレーザ照射技術／レーザ照射
方法等の具体的技術は開示されていなかった。特に、二つの記録層をもち、片面より両記
録層のデータ再生可能な所謂片面２層ディスクは、レーザ光が両層共に同時に貫通させる
特性をもつため、各記録層別々に独立したバーコードデータを記録することができないと
言う不具合があった。更に従来技術においては、片面２層ディスクの再生面側から遠い層
にバーコードデータを記録する場合、レーザ光が近い側の層を通過しなければならず、遠
い層ヘの記録効率が落ちると言う不具合もあった。更に、片面に二つ以上の記録層を持つ
、いわゆる片面多層光ディスクへのバーコード記録に関する技術記載はなかった。
【０００９】
本発明の目的は、前述の従来技術による不具合を除去することであり、具体的には、片
面多層光ディスクに対し、各記録層毎に異なったデータのバーコード状のマークを記録し
、且つ再生信号が良質なバーコードマークを記録することができるバーコード記録装置を
提供することである。
【課題を解決するための手段】
【００１０】
前記目的を達成するため本発明は、所定方向に回転する片面多層の光ディスクにバーコードを記録するバーコード記録装置であって、再生面と逆側の裏面に再生面の裏側からレーザ光を対物レンズを介して照射し、ディスク記録層上の反射層を溶融除去した半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを裏面に最も近い記録層上に焦点合わせを行うフォーカス制御回路とを備えることを第１の特徴とする。
【００１１】
また本発明は、該第１の特徴のバーコード記録装置において、前記レーザドライバ回路が、ディスク回転に同期したバーコードデータを逆順で受信し、前記受信した逆順のバーコードデータに応じて前記高出力半導体レーザをパルス状に発光させ、前記レーザ出力のパルス立ち上がり部分を所定のオーバーシュート率にオーバーシュートさせることを第２の特徴とする。
【発明の効果】
【００１２】
本発明によるバーコード記録装置は、片面多層の光ディスクの再生面と逆側の裏面にレ
ーザ光を対物レンズを介してディスク記録層上の半径方向に長い直線状のレーザスポット
を自動焦点合わせしながらパルス状に照射することによって、片面多層光ディスクに対し
、各記録層毎に異なったデータのバーコード状のマークを記録し、且つ再生信号が良質な
バーコードマークを記録することができる。
【発明を実施するための最良の形態】
【００１３】
以下、本発明の一実施形態によるバーコード記録装置を図面を参照して詳細に説明する
。図１は本実施形態による記録方法を適用したバーコード記録装置を説明するための図、
図２は本実施形態により光ディスクに記録したバーコードを説明するための図、図３は本
実施形態によるバーコード記録方法のタイムチャート図、図４は本実施形態によるレーザ
スポット長手方向のレーザ出力強度分布を示す図、図５は本実施形態によるレーザ出力を
説明するための図、図６は本実施形態によるバーコード記録中のマークとレーザスポット
の位置及び出力の関係を示す図、図７は本実施形態によるレーザ光ディスクの焦点合わせ
を説明するための図、図８は一般的な片面２層光ディスクのバーコード記録方法を説明す
るための図、図９本実施形態による片面２層光ディスクのバーコード記録方法を説明する
ための図、図１０は片面２層光ディスクを説明するための図である。
【００１４】
＜前提説明＞
まず、本発明の前提となる光ディスクや用語の定義について説明する。本発明の対象と
なる片面２層光ディスク３は、図１０に示す如く、基材の上に反射層を伴った第２記録層
２と、該第２記録層２上に半透明状態の反射層を伴った第１記録層１を配置し、該第２記
録層２と該第１記録層１の間に数μｍ〜１００μｍ程度の透明状態の中間層をはさみこん
だ、記録層を二面もつ片面２層光ディスクである。該片面２層ディスクは、ポリカーボネ
ート等の材料を射出成型して作られた０．６ｍｍ厚の基板のデータ面に、厚さ１０ｎｍ〜
１００ｎｍのアルミ合金等を反射材としてスパッタリング法で形成したものと、同様の方
法で作製した別の基板のデータ面に金やシリコン等をレーザ光が透過するようにスパッタ
リング法で形成したものとのデータ面を互いに数 μｍ〜１００μｍ程度の接着材で貼り
合わせ作られている。また、該片面２層ディスクは、０．６ｍｍ〜１．２ｍｍのポリカー
ボネート基板に２Ｐ法等によりデータ面を形成させたのち、厚さ１０ｎｍ〜１００ｎｍの
アルミ合金等を反射材としてスパッタリング法で形成させ、その上にデータ面を転写した
厚さ数 μｍ〜１００μｍ程度の樹脂等の中間層を作り、更に金やシリコン等をレーザ光
が透過するようにスパッタリング法で形成させるように順次積層し、最後に１０ｕｍ〜３
００ｕｍの透明なシートや樹脂などを保護層として配置し作られている。
【００１５】
この片面２層光ディスク３は、片面からレーザ光４を照射することによって各記録層１
又は２に記録された情報を再生可能であり、データを記録／再生するレーザ光４の入射側
をディスクのおもて面５とし、もう一方の面を裏面と呼び、第１記録層１はレーザ光４の
一部が半透明状態により透過する構造である。尚、前記おもて面５は、再生面とも呼ぶ。
【００１６】
また本実施形態によるバーコード記録装置により記録した光ディスクは、図２に示す如
く、ディスク７５の内周側に、ディスクの回転中心から放射上に延びるバーコード状に複
数のマーク（バー及びスペースから成るキャラクタ）をディスク周方向に沿ったバーコー
ドマーク７６を形成したものである。
【００１７】
更に本明細書においては、おもて面５からのレーザ光入射によってコンテンツデータ又
はバーコードデータが再生できるディスク回転方向７８への回転を正転とし、更に前記デ
ィスク正転において、バーコードデータが再生できるバーコードデータ羅列の順序（ディ
スク周方向７７）を順配列とし、前記ディスク正転において順配列になるように記録する
バーコードデータの転送を順送とし、バーコードの記録とはディスク記録層の反射層を溶
融除去を意味することとする。また前記正転方向と逆方向の回転を逆転と呼ぶ。
【００１８】
＜バーコード記録装置の構成説明＞
本実施形態によるバーコード記録装置は、図１に示す如く、高出力半導体レーザ６と、
開口数Ｎが０．５＜Ｎ＜０．８５の対物レンズ７と、ディスク記録層の半径方向に長い直
線状のレーザスポット９を照射し且つ該直線状のレーザスポット９の強度分布に傾斜を加
えるスポット傾斜光学系１０と、二つの記録層１１と記録層１２とを分離して認識し、各
記録層に対応したフォーカスサーボ信号を生成する多層分離認識光学系１３と、ディスク
面振れに対し焦点ズレが生じないように対物レンズ７を方向７ａに移動して焦点合わせ制
御を行う多層フォーカス制御回路１４と、ディスク２７を所定の回転数で方向７８に回転
駆動するスピンドルモータ１５と、該モータ１５の回転に応じたディスクの回転角を検出
するロータリエンコーダ１６と、該エンコーダ１６から入力した回転角を基に変調用クロ
ック信号をディスクの回転角に同期して発生するクロック同期回路１７と、データバッフ
ァ１８に貯えられたバーコード記録用のバッファデータと変調用クロック信号を基にディ
スク面に記録するためのＲＺ信号３２を生成する変調回路１９と、前述シリアルＲＺ信号
羅列群の順番を切替える転送方向切替信号２１により光ディスク１回転分のシリアルＲＺ
信号羅列を時間的に先頭と後尾を反転させる機能をもつデータ処理回路２０と、半導体レ
ーザ６を駆動するレーザドライバ回路２２と、後述するパルス波形を生成するオーバシュ
ートコントロール回路２３と、ディスクの回転方向を切替える機能を持つモータドライバ
回路２４と、ディスク記録層に集光したスポットをディスク半径方向に移動させるキャリ
ッジ２５と、フォーカス系／レーザ系／モータ系／キャリッジ系の各回路や装置全体動作
をコントロールするマイクロプロセッサ（以下ＭＰＵ）２６とを備える。
【００１９】
＜動作説明＞
本実施形態によるバーコード記録装置の動作を、次に図１〜３を参照して説明する。
まず、バーコード記録対象の光ディスク２７をおもて面５からレーザ照射２８を行うよ
うにスピンドルモータ１５に搭載した状態で、ＭＰＵ２６は予め設定されたプログラミン
グにより自動的にバーコードの記録を行う。
【００２０】
この動作は、スピンドルモータ１５が、モータドライバ回路２４の指示によってディス
ク２７を所定の回転数で正転方向に回転させる。この場合の回転方式は、ＣＬＶ（ｃｏｎ
ｓｔａｎｔ ｌｉｎｅａｒ ｖｅｌｏｃｉｔｙ）回転でもＣＡＶ（Ｃｏｎｓｔａｎｔ ａｎ
ｇｕｌａｒｖｅｌｏｃｉｔｙ）回転でもどちらでもよい。次にＭＰＵ２６は、キャリッジ
２５を光ディスク２７上のバーコード記録半径位置に移動させ、記録を行わないレベルの
ボトムパワー２９によりレーザを発光させ、多層フォーカス制御回路１４によりバーコー
ドの記録層にオートフォーカス制御をかける。
【００２１】
次いでＭＰＵ２６は、バーコード記録用のバーコードデータをデータバッファ１８に出
力し、該データバッファ１８から出力したシリアルバファデータ３０を変調回路１９にお
いて変調用クロック信号３１により同期をとってディスク回転に同期させたＲＺ信号３２
を生成すると共に、転送方向切替信号２１によってデータ処理回路２０に対して順送指定
を行うことにより、前記ＲＺ信号３２を順送でレーザドライバ回路２２に送信する。
【００２２】
これによりレーザドライバ回路２２は、順次取りこまれるＲＺ信号３２を増幅して高出
力半導体レーザ６に出力指示を行うことにより、半導体レーザ６が、ＲＺ信号３２と同タ
イミングでパルス発光するレーザ出力３３の照射を開始する。図３に示す如く、前記パル
ス出力するレーザ光のトップパワー３４は、ディスク記録層の反射層が溶融開始する出力
以上に設定し、ボトムパワー２９は溶融しない出力に設定されている。特にボトムパワー
２９は、フォーカスが外れない程度まで減少させるのが好ましい。
【００２３】
この様に本実施形態によるバーコード記録装置は、光ディスクの回転に同期し且つ、デ
ィスクの１回転毎に同じパルスレーザを出力３３しながらレーザスポット４０をキャリッ
ジ２５により記録隙間ができない所定の送りピッチ３５で半径方向３６に送ることによっ
て、マーク部３７の反射層１２が溶融除去された半径方向に所定の長さのバーコード３９
を記録することができる。このバーコードに対する記録データ３８は図３の最下部に示す
ごとく「０１００１１・・」の数字である。この記録データ３８は、反射層が溶融除去さ
れたマーク部３７が反射率が低く、他のディスク面と反射率が充分に異なるために、一般
の光ディスクドライブ装置等にて再生認識が可能である。
【００２４】
更に本実施形態においては、ディスクの回転方向を正転とし、且つバーコードデータを
順配列で記録したことにより、一般の光ディスクドライブ装置等にて再生しても期待する
バーコードデータとして認識することができる。
【００２５】
＜レーザ出力の説明＞
次に、前述したディスク記録層に形成した直線状のレーザスポットの空間的パワー分布
及び出力の時間的変化について、図４〜図６を参照して説明する。
まず、本実施形態によるレーザスポットの長手方向のレーザ出力分布は、図４に示す如く
、ディスク外周側の一方の端５３（振幅ｄ）がもう一方の端５４（振幅ｃ）より大きくか
つその振幅比（ｃ／ｄ）を０．９〜０．３、レーザ出力分布の平均を直線的５１に設定し
ている。このレーザ出力オーバーシュート出力５０は、図１に示したオーバシュートコン
トロール回路２３により生成され、また前記レーザスポットの短手方向のパワー分布はガ
ウス分布しているのがよい。
【００２６】
尚、前記振幅比の上限を０．９とした理由は、レーザ強度分布が図４に示すように数十
％で凸凹し、この傾斜による効果を引き立てるには０．９以下が好ましいためであり、下
限を０．３とした理由は、溶融除去できる最低出力と劣化が開始する最低出力の比が３倍
程度という実験結果に基づくものであるが、一方の端で溶融除去できず、もう一方の端で
劣化が発生する事を防止できる範囲で有れば、厳密に限られるものではない。
【００２７】
またレーザのパルス出力は、図５に示す如く、時間に対して当初の出力が急激に立ち上
がり／立ち下がる領域をもつオーバーシュート出力５０を形成している。このオーバーシ
ュート出力５０は、図１に示したオーバシュートコントロール回路２３により生成され、
オーバーシュート率（ａ／ｂ）を任意に設定することができる。本実施形態によるパルス
出力は、マークの先頭部４７にて良好なエッジ境界４９が得られようにオーバーシュート
率（ａ／ｂ）を設定し、且つマーク内４４に溶融反射材が残らないようにレーザ出力（ｂ
−ａ）を設定することにより、良好なマークを得ることができる。また、記録層に近接し
た接着材などの熱膨張や熱変形により剥離が発生した場合にも効果的である。尚、図５に
示す如く、マークの後端においても若干のオーバーシュートを設けることによって良好な
エッジ境界を得ることもできる。
【００２８】
尚、前記オーバーシュート率（ａ／ｂ）は、（１／１０）〜（２／３）の範囲が好まし
く、この下限を（１／１０）とした理由は、レーザ強度分布が図４に示すように数十％で
凸凹し、この凸凹による影響をカバーし且つマークエッジをシャープに引き立てるには（
１／１０）以上が好ましいためであり、上限を（２／３）とした理由は、溶融除去できる
最低出力と劣化が開始する最低出力の比が３倍程度という実験結果に基づくものであるが
、オーバシュートトップ部で劣化したり、オーバーシュート後の出力平坦部で溶融除去で
きない事を防止できる範囲であれば、厳密に限られるものではない。
【００２９】
次に前述の半径方向のレーザ出力分布と時間経過によるパルス出力との関係を図６を用
いて説明する。尚、直線状のレーザスポットの長手方向はディスクの半径方向に配置して
あるものとする。
【００３０】
図６に示す如く、レーザスポットの短手方向の幅（半値幅）４１、即ちディスク周方向
４５のレーザスポットの幅は、記録マーク幅（周方向）４２に対し少なくとも１／２以下
に設定する。従って、本実施形態ではレーザのパルス発光により記録層の反射層を一気に
溶融貫通させるものではなく、レーザスポットをディスク周方向４５に走査方向４３に移
動しながら徐々に反射層を溶融して除去する様に動作する。尚、図中の斜線部４４は反射
層を溶融除去した部分である。
【００３１】
本実施形態においては、図６の上に示す如く、レーザ出力４６がマーク先頭部４７にお
いて出力が高くなるようにオーバーシュートを設定していることにより、熱蓄積の少ない
マーク先頭部４８に対して一気（短時間）に溶融を行い、マーク先頭部に相当するエッジ
境界４９において半溶融物や溶融残留物の発生を防止することができ、従ってエッジ境界
４９を明瞭に作ることができる。
【００３２】
前記レーザスポットがマーク先頭部を過ぎたのちは先頭部からの熱伝導があり、先頭部
より低い出力で連続溶融が可能となる。反射層材の溶融表面張力によって反射層材を走査
方向４３に追いやり、反射層を除去することができる。この様にレーザ出力４６はオーバ
ーシュートさせることが好ましい。
【００３３】
また図６のレーザ出力分布５２は、出力が大きい外周側の一方の端５３を、半径方向５
４に送るレーザスポットの進行側５６に配置する理由は、ディスク回転の前周回（この場
合１周目）で形成したマークの境界５５付近は熱残留があり境界５５から遠いほど温度が
低い状態となり、境界５５から最も遠い側、即ち半径方向５４に送るレーザスポットの進
行側５６にてレーザ出力を大きく分布させることにより、境界５５から最も遠いマークの
先頭部である位置５７を中心に溶融を開始させ、溶融除去領域を一気に広めるためである
。
【００３４】
前述のレーザ出力分布は、マーク形成のエネルギー効率向上とマーク内４４の残留溶融
物の低減に効果的であり、図４の様なレーザスポット長手方向の傾斜レーザパワー分布５
２は、振幅比（ｃ／ｄ）をマーク内の残留溶融物が低減しかつ偏在しないように調整する
事が望ましい。また、マーク部およびマーク間で良好な状態が得られるようにディスクの
回転速度及び送り量に設定される。
【００３５】
＜焦点合わせの説明＞
図７は片面２層ディスクのおもて面５側よりレーザ光を入射させ各記録層に焦点を合わ
せた模式図である。図１に構成したバーコード記録装置により、図７に示す如く光ディス
クのバーコード記録する記録層５９又は６０に焦点位置６１を合わせることが可能となり
、ディスクの回転による面振れやその他外乱に対しても記録膜に形成したレーザスポット
形状が変わることはなく、常時、記録層にて最大パワー密度のレーザスポットを確保する
ことができる。
【００３６】
また、大きなＮＡの対物レンズ５８を用いることにより、入射角θ［θ＝ｓｉｎ−１（
ＮＡ／ｎ）。尚、ｎは保護層または中間層の屈折率、θは記録面と直交する法線と入射光
線がなす角度］を大きくとることができる。即ち、光軸方向６２に対しレーザスポットの
面積変化が大きく、合焦点位置６１から僅かにずれた位置においてはレーザのパワー密度
を激減させることができる。
【００３７】
本実施形態は、バーコード記録対象の記録層に焦点を合わせ記録しているとき、近接す
るもう一方の記録層まで同時に記録することはない。従って本実施形態によれば、目的と
する記録層のみバーコード記録６３を行うことができ、両記録層に別々に異なったバーコ
ードデータを記録することができる。また、一方の記録層にバーコード記録した後にフォ
ーカスジャンプによりもう一方の記録層に焦点を移し、連続して異なったデータのバーコ
ードを記録することもできる。尚、記録層６０の記録時に第２記録６０を通り抜けたレー
ザ光がディスク裏面６０ａまで到達することも考えられるが、この場合であっても、レー
ザ光は十分拡散しており、例えディスク裏面６０ａに印刷等施されていても印刷材料の溶
融や化学変化などの影響を与えることはない。
【００３８】
更にバーコード記録による反射層近傍の剥離や経時的劣化を抑制し、かつ良好なマーク
形成には、短時間に高熱エネルギーの印加が不可欠であり、このためにレーザ光を強く絞
り込む大きなＮＡを持つ対物レンズが有用である。このＮＡは大きい方が望ましいが、実
用的な値としては、０．５＜ＮＡ＜０．８５とするのが好適である。
【００３９】
＜第２実施形態の説明＞
次に本発明の第２の実施形態による片面２層光ディスクの第２記録層にバーコード記録
するバーコード記録方法について説明する。図８は一般的な片面２層ディスクの第２記録
層へのバーコード記録方法を示した図で、本実施形態と比較するためのものである。また
片面２層ディスクは、その裏面へユーザ印刷を行なう前の状態とする。
【００４０】
さて、一般的なバーコード記録方法は、片面２層光ディスク６９のおもて面６４からレ
ーザ光６５を入射し、光ディスク６９を正転方向に所定の回転数で回転させた状態におい
て、第２記録層６６に焦点６７を合わせ、第２記録層６６にフォーカス制御をかけ、ＲＺ
信号に変換されたディスク一回転分のシリアルデータ羅列群を順送でレーザパルスドライ
バ回路２２に送り、時間的にｂ０、ｂ１、ｂ２、…ｂｎ−２、ｂ１ｎ−１、ｂｎの順序６
８で第２記録層６７にバーコード「１００１０・・・」を記録する。
【００４１】
このように、ディスク１回転毎にディスクの回転に同期した同一シリアルデータ羅列群
を順送でレーザパルスドライバ回路２２に送り、且つ所定送りピッチでレーザスポットを
半径方向に送ることにより、第２記録層６６に順配列のバーコードデータの記録を行うこ
とができる。
【００４２】
図９は本発明の第２実施形態による片面２層ディスクの第２記録層へのバーコード記録
方法を示した図である。本実施形態においては、図９に示す如く、片面２層光ディスク６
９の裏面７０からレーザ光７１が入射するように配置し、ディスクは正転方向に回転させ
た状態において、第２記録層７２に焦点７３を合わせ、第２記録層７２にフォーカス制御
をかける。この場合、ディスク裏面よりレーザ光を入射しているため対物レンズに近い記
録層が第２記録層となる。ＲＺ信号に変換されたディスク一回転分のシリアルデータ羅列
群は逆送でレーザパルスドライバ回路２２に送られ時間的にｂｎ、ｂｎ−１、ｂｎ−２、
…ｂ２、ｂ１、ｂ０の順序６８ａで第２記録層７２にバーコード「１００・・・」を記録
する。
【００４３】
この様に本実施形態においては、ディスク１回転毎にディスクの回転に同期した同一シ
リアルデータ羅列群を逆送でレーザパルスドライバ回路２２に送りかつ、所定送りピッ
チでレーザスポットを半径方向に送ることにより、結果として、第２記録層に順配列のバ
ーコードデータの記録が可能となる。
【００４４】
＜第３実施形態の説明＞
また第３実施形態によるバーコード記録方法では、片面２層光ディスクの裏面からレー
ザ光が入射するように配置する。ディスクは逆転方向に回転させる。第２記録層に焦点を
合わせ、第２記録層にフォーカス制御をかける。この場合、ディスク裏面よりレーザ光を
入射しているので対物レンズに近い記録層が第２記録層となる。ＲＺ信号に変換されたバ
ーコードデータ羅列群は順送でレーザパルスドライバ回路に送られ時間的にｂ０、ｂ１、
ｂ２、…ｂｎ−２、ｂ１ｎ−１、ｂｎの順序で第２記録層に記録される。結果として、第
２記録層に順配列のバーコードデータの記録が可能となる。
【００４５】
前述のシリアルデータ羅列群の順送及び逆送は、図１のデータ処理回路２０で送り方向
が変換され、ＭＰＵ２６からの転送方向切替信号２１によって任意に選択することができ
る。また前述のディスクの正転及び反転は、図１のモータドライバ回路２４で行われ、Ｍ
ＰＵ２６からの切替信号７４によって任意に選択することができる。
【００４６】
この様に本発明の第２実施形態および第３実施形態においては、ディスク裏面からのレ
ーザ入射によって第２記録層に順配列で記録することができる。片面２層ディスクで第１
記録層の透過率が低く、第２記録層へのバーコード記録のパワー効率が低下しかつ均一に
マークを形成できない場合は、ディスク裏面からのレーザ入射によるバーコード記録が有
効である。
【００４７】
一般に、対物レンズは集光した記録層上で光収差が発生しないように、記録層を保護す
るサブストレートや保護シート等の透過材の厚さを考慮し設計してあるが、ディスク裏面
からの入射により、透過材の厚さが変わる場合は、設計設定厚さ値になるように対物レン
ズとディスクの間に透過材を付加するのが好ましい。ディスク裏面からのバーコード記録
はディスク裏面へのユーザ印刷を行なう前に記録するのが好ましい。また、少なくともバ
ーコード記録領域を印刷しないようにしておけば、ディスク裏面へのユーザ印刷を行なっ
た後でも、ディスク裏面からのバーコード記録を行うこともできる。
【００４８】
尚、前記各実施形態では片面２層ディスクに関して説明したが、２層に限定することな
く３層以上の片面多層ディスクでも同様の効果を得ることができる。また前記実施形態で
はディスク内周部でのバーコード記録を示したが、ディスクの内周部に限ることなく、中
周や外周にバーコードを設けても良い。
【図面の簡単な説明】
【００４９】
【図１】本発明の一実施形態による記録方法を適用したバーコード記録装置を説明するための図。
【図２】本実施形態により光ディスクに記録したバーコードを説明するための図。
【図３】本実施形態によるバーコード記録方法のタイムチャート図。
【図４】本実施形態によるレーザスポット長手方向のレーザ出力強度分布を示す図。
【図５】本実施形態によるレーザ出力強さを説明するための図。
【図６】本実施形態によるバーコード記録中のマークとレーザスポットの位置及び出力の関係を示す図。
【図７】本実施形態によるレーザ光ディスクの焦点合わせを説明するための図。
【図８】一般的な片面２層光ディスクのバーコード記録方法を説明するための図。
【図９】本発明の第２の実施形態による片面２層光ディスクのバーコード記録方法を説明するための図。
【図１０】本発明の対象となる片面２層光ディスクを説明するための図。
【符号の説明】
【００５０】
１：第１の記録層、２：第２の記録層、３：光ディスク、４：レーザ光、６：半導体レー
ザ、７：対物レンズ、９：レーザスポット、１０：スポット傾斜光学系、１２：反射層、
１３：多層分離認識光学系、１４：多層フォーカス制御回路、１５：スピンドルモータ、
１６：ロータリエンコーダ、１７：クロック同期回路、１８：データバッファ、１９：変
調回路、２０：データ処理回路、２１：転送方向切替信号、２２：レーザドライバ回路、
２２：レーザパルスドライバ回路、２３：オーバシュートコントロール回路、２４：モー
タドライバ回路、２５：キャリッジ、２８：レーザ照射、２９：ボトムパワー、３０：シ
リアルバファデータ、３１：変調用クロック信号、３４：トップパワー、３７：マーク部
、３９：バーコード、４０：レーザスポット。
【図１】
0004564563.tif 000002
【図２】
0004564563.tif 000003
【図３】
0004564563.tif 000004
【図４】
0004564563.tif 000005
【図５】
0004564563.tif 000006
【図６】
0004564563.tif 000007
【図７】
0004564563.tif 000008
【図８】
0004564563.tif 000009
【図９】
0004564563.tif 000010
【図１０】
0004564563.tif 000011